(57)【要約】      （修正有）【課題】従来の塗布具は、塗布液が減少するにつれ、インキタンク内に空気を取り込む、所謂空気交換が必要であるが、単一の貫通孔によってインキタンクと塗布先が連通しているため、貫通孔が塗布液の供給だけでなく空気交換にも使われてしまうという問題があった。塗布の最中に、インキタンクから塗布先への塗布液の供給が中断されず、安定した塗布ができる塗布具を提供する。【解決手段】塗布液を直接又は変形可能なインキ吸蔵体に含浸させた状態で収容するインキタンクと、塗布先との間に、塗布液の流通する複数の貫通孔を構成する。【選択図】図１
2018171857.tif 000002
【特許請求の範囲】
【請求項１】
塗布液を直接又は変形可能なインキ吸蔵体に含浸させた状態で収容するインキタンクと、塗布先との間に、塗布液の流通する複数の貫通孔を形成した塗布具。
【請求項２】
嵌合により前記塗布先を覆うキャップの内壁と、前記塗布先とが形成する密閉空間の体積が、２１７ｍｍ３以上２４３ｍｍ３以下である請求項１に記載の塗布具。
【発明の詳細な説明】
【技術分野】
【０００１】
本発明は、インキタンク内に収容した塗布液を塗布先へ供給して使用する塗布具に関する。
【背景技術】
【０００２】
従来、塗布具においてインキタンクから塗布先へ塗布液を供給する手段が検討されている。
【０００３】
例えば特開平９‐２６７０６８号公報（特許文献１）に記載の発明には、インキタンクに収容された塗布液が、単一の貫通孔から塗布先へ供給される塗布具が開示されている。
【先行技術文献】
【特許文献】
【０００４】
【特許文献１】特開平９‐２６７０６８号公報
【発明の概要】
【発明が解決しようとする課題】
【０００５】
従来の塗布具は、塗布液が減少するにつれ、インキタンク内に空気を取り込む、所謂空気交換が必要であるが、塗布液の供給との両立が困難であった。
【０００６】
特許文献１に記載の発明は、単一の貫通孔によってインキタンクと塗布先が連通しているため、貫通孔が塗布液の供給だけでなく空気交換にも使われてしまう。そのため塗布の最中に、インキタンクから塗布先への塗布液の供給が中断されてしまい、安定した塗布をすることができないという問題があった。
【０００７】
本発明は、インキタンクから塗布先へ安定した塗布液の供給を可能にした塗布具を提供することを目的とする。
【課題を解決するための手段】
【０００８】
本発明は、塗布液を直接又は変形可能なインキ吸蔵体に含浸させた状態で収容するインキタンクと、塗布先との間に、塗布液の流通する複数の貫通孔を形成した塗布具を第１の要旨とし、嵌合により前記塗布先を覆うキャップの内壁と、前記塗布先とが形成する密閉空間の体積が、２１７ｍｍ３以上２４３ｍｍ３以下である塗布具を第２の要旨とする。
【発明の効果】
【０００９】
本発明の塗布具は、インキタンクと塗布先との間に、塗布液の流通する複数の貫通孔を形成しているので、ある貫通孔からはインキタンクから塗布先へ塗布液を供給しつつ、別の貫通孔からはインキタンク内へ空気を取り込むことができ、塗布と空気交換を両立することができるため、安定した塗布液の供給が可能となる。
【００１０】
また、嵌合により塗布先を覆うキャップの内壁と、塗布先とが形成する密閉空間の体積が、２１７ｍｍ３以上２４３ｍｍ３以下と、極力小さな密閉空間を形成することによって、キャップを着ける際に密閉空間内の空気が圧縮されて塗布先や貫通孔内の塗布液をインキタンク側へ押し戻してしまい、キャップを外した際に減圧することで塗布液が塗布先から漏れてしまうといったことが無く、キャップの着脱を伴った直後であっても安定した塗布液の供給を可能にするものである。
【図面の簡単な説明】
【００１１】
【図１】本発明の塗布具の縦断面図
【図２】図１のＡ−Ａ’断面矢視図
【図３】液吐出制御部材４の斜視図
【図４】図１のＢ−Ｂ’断面矢視図
【図５】キャップ６の縦断面図
【図６】図１の塗布先側拡大図
【発明を実施するための形態】
【００１２】
本発明の塗布具は、インキタンクと塗布先との間に、塗布液の流通する複数の貫通孔を形成したものである。
【００１３】
貫通孔は、複数形成され、少なくとも１つの貫通孔が液流通している際に他方の貫通孔からインキタンク内に空気を流入させることができるよう、最低２つ必要である。貫通孔同士が連通していてもかまわないが、それぞれ独立して貫通していることが好ましい。また、独立して配置される場合、数に応じてではあるが、例えば、軸心に対して対象位置に形成されるなど、互いに最も離れた位置に形成されることで、それぞれが液流通と空気交換とを障害なく行えるものである。貫通孔は直線状に形成されていても曲路として形成されていても良い。
【００１４】
１つの貫通孔の広さ（断面径）や長さ（道のり長さ）は、流通する液体の表面張力や粘度、固形分の大きさや量などに応じて決定されるが、ニュートン流体で粘度数ｍＰａ．ｓ程度〜数千ｍＰａ・ｓ程度で、表面張力２５ｍＮ／ｍ〜７５ｍＮ／ｍ程度の水性インキ、又は油性インキであれば、３．９５ｍｍ以上４．０５ｍｍ程度が好ましい。
【００１５】
１つ１つの貫通孔の径を小さめに形成するも、貫通孔の数を多く配置して、合計の開口面積を多くすることによって、液を多く流通させつつも、一つ一つの貫通孔が不意の液流通が起こりにくいものとすることができ好ましい。但し、貫通孔の数を増やすことは、隣り合った貫通孔同士が近接することになるので、実質的に空気交換に寄与しにくくなるので、径が１ｍｍ未満の貫通孔を１０個〜１６個程度とすることが液流通の調節の意味で好ましい。特に、貫通孔の径が０．００７０ｍｍ２以上０．０１１２ｍｍ２以下であると好ましい。
【００１６】
貫通孔の形成方法としては、インキタンクと塗布先との間に配置した壁部材に複数の孔を直接形成したものや、壁部材を複数の部品を組み立てることによって形成し、その部材の隙間を利用したもの、壁部材と軸筒の内壁との間に隙間が形成されるようになしたものなどを採用することができる。中でも、有底筒状の部材の外壁に、複数の溝を形成し、外径を軸筒の内壁に密接するよう設置して複数の溝が貫通孔として成立するものとした場合、各部品を作りやすく、部材の組み立ても単に圧入状態とすれば足り、貫通孔の寸法管理も容易で好ましいといえる。
【００１７】
インキタンクは、塗布に供される塗布液を収納しておく部分であり、塗布液の塗布先への流通手段を伴うものである。例えば、インキタンクを、可撓性を有する比較的軟質の合成樹脂のブロー成型品などにより形成しインキタンクを直接圧して液を導出させるものや、剛性のインキタンクとしてピストン・シリンダのような液導出機構を備えるものとすることなどができる。
【００１８】
また、内部に収納される塗布液は、タンク内に吸蔵体などによらず、所謂自由状態で収納された状態としても良いし、中綿と呼ばれる吸蔵体に含浸させて収納されるようにしても良い。但し、中綿に吸蔵させた場合には、中綿自身が外圧などによって変形し、液の導出を阻害しないものとする必要がある。
【００１９】
インキタンクを構成する部材の材質は、内部に収容する塗布液に対して、膨潤、融解、溶解、分解等の反応により形状変化を生じないものが好ましく、インキタンクの外形を形成するものをブロー成型による可撓性の部材とする場合には、ポリエチレン樹脂、ポリアミド樹脂、ポリプロピレン樹脂、ポリブチレンテレフタレート樹脂、ポリブチレンナフタレート樹脂、ポリエチレンナフタレート樹脂、塩化ビニル樹脂、エチレンビニルアルコール共重合体、ポリアクリロニトリル樹脂、フッ素樹脂、ポリアセタール樹脂、ポリエチレンテレフタレート樹脂、ポリカーボネート樹脂、ポリスチレン樹脂、ＡＢＳ樹脂、シリコーン樹脂、エラストマー、またはこれらの樹脂を含む複合材などが例示できる。
【００２０】
塗布先としては、毛管力によって塗布液を含浸する塗布液貯留機能を有するものが好適に使用できるが、先端を弁とした先端ノック式、ボールペンタイプの塗布先も使用可能である。毛管力によって塗布液を含浸するタイプとしては、繊維を集束させた塗布先や、多孔質体が使用でき、繊維を集束したものでは、直線状に繊維を束ねた筆穂様のもの、繊維の方向がランダムに絡み合った所謂フェルト様のものが使用でき、単繊維としても直毛のものや波型の繊維など適宜使用できる。繊維の材質としては、ヤギ、羊、馬、リスなどの天然獣毛や、アクリル繊維、ナイロン繊維、ポリエステル（ポリエチレンテレフタレート、ポリブチレンテレフタレート、ポリトリメチレンテレフタレートなど）繊維、ポリウレタン繊維、ポリアクリロニトリル繊維などの合成繊維が使用できる。その他、ウレタンなどの多孔質体や、連通多孔質を形成した発泡体などが使用できる。これら塗布先内に繊維収束体などの中継部材を接続して塗布液を連通させる。
【００２１】
嵌合により塗布先を覆うキャップを設けることで、塗布具の未使用時に塗布先が露出していることにより、意図しない場所へ塗布液が付着したり、塗布先が乾燥したり、汚れたりするのを防ぐことができる。
【００２２】
キャップの内壁と、塗布先とが形成する密閉空間の体積が、２１７ｍｍ３以上２４３ｍｍ３以下の範囲となるよう形成されていることが、キャップの着脱を伴っても安定した塗布液の供給を可能にする点で好ましい。
【００２３】
インキタンクに収容する塗布液としては、水、水を含有する水性インキ、有機溶剤を主溶剤とする油性インキ、染料、顔料、またはこれら両方を着色剤として使用したもの等が使用できる。
【００２４】
具体的には、使用する着色剤としては、染料、顔料のいずれも使用できる。
【００２５】
染料として、ジャパノールファストブラックＤコンク（Ｃ．Ｉ．ダイレクトブラック１７）、ウォーターブラック１００Ｌ（Ｃ．Ｉ．ダイレクトブラック１９）、ウォーターブラックＬ−２００（Ｃ．Ｉ．ダイレクトブラック１９）、ダイレクトファストブラックＢ（Ｃ．Ｉ．ダイレクトブラック２２）、ダイレクトファストブラックＡＢ（Ｃ．Ｉ．ダイレクトブラック３２）、ダイレクトディープブラックＥＸ（Ｃ．Ｉ．ダイレクトブラック３８）、ダイレクトファストブラックコンク（Ｃ．Ｉ．ダイレクトブラック５１）、カヤラススプラグレイＶＧＮ（Ｃ．Ｉ．ダイレクトブラック７１）、カヤラスダイレクトブリリアントエローＧ（Ｃ．Ｉ．ダイレクトエロー４）、ダイレクトファストエロー５ＧＬ（Ｃ．Ｉ．ダイレクトエロー２６）、アイゼンプリムラエローＧＣＬＨ（Ｃ．Ｉ．ダイレクトエロー４４）、ダイレクトファストエローＲ（Ｃ．Ｉ．ダイレクトエロー５０）、アイゼンダイレクトファストレッドＦＨ（Ｃ．Ｉ．ダイレクトレッド１）、ニッポンファストスカーレットＧＳＸ（Ｃ．Ｉ．ダイレクトレッド４）、ダイレクトファストスカーレット４ＢＳ（Ｃ．Ｉ．ダイレクトレッド２３）、アイゼンダイレクトローデュリンＢＨ（Ｃ．Ｉ．ダイレクトレッド３１）、ダイレクトスカーレットＢ（Ｃ．Ｉ．ダイレクトレッド３７）、カヤクダイレクトスカーレット３Ｂ（Ｃ．Ｉ．ダイレクトレッド３９）、アイゼンプリムラピンク２ＢＬＨ（Ｃ．Ｉ．ダイレクトレッド７５）、スミライトレッドＦ３Ｂ（Ｃ．Ｉ．ダイレクトレッド８０）、アイゼンプリムラレッド４ＢＨ（Ｃ．Ｉ．ダイレクトレッド８１）、カヤラススプラルビンＢＬ（Ｃ．Ｉ．ダイレクトレッド８３）、カヤラスライトレッドＦ５Ｇ（Ｃ．Ｉ．ダイレクトレッド２２５）、カヤラスライトレッドＦ５Ｂ（Ｃ．Ｉ．ダイレクトレッド２２６）、カヤラスライトローズＦＲ（Ｃ．Ｉ．ダイレクトレッド２２７）、ダイレクトスカイブルー６Ｂ（Ｃ．Ｉ．ダイレクトブルー１）、ダイレクトスカイブルー５Ｂ（Ｃ．Ｉ．ダイレクトブルー１５）、スミライトスプラブルーＢＲＲコンク（Ｃ．Ｉ．ダイレクトブルー７１）、ダイボーゲンターコイズブルーＳ（Ｃ．Ｉ．ダイレクトブルー８６）、ウォーターブルー＃３（Ｃ．Ｉ．ダイレクトブルー８６）、カヤラスターコイズブルーＧＬ（Ｃ．Ｉ．ダイレクトブルー８６）、カヤラススプラブルーＦＦ２ＧＬ（Ｃ．Ｉ．ダイレクトブルー１０６）、カヤラススプラターコイズブルーＦＢＬ（Ｃ．Ｉ．ダイレクトブルー１９９）等の直接染料や、アシッドブルーブラック１０Ｂ（Ｃ．Ｉ．アシッドブラック１）、ニグロシン（Ｃ．Ｉ．アシッドブラック２）、スミノールミリングブラック８ＢＸ（Ｃ．Ｉ．アシッドブラック２４）、カヤノールミリングブラックＶＬＧ（Ｃ．Ｉ．アシッドブラック２６）、スミノールファストブラックＢＲコンク（Ｃ．Ｉ．アシッドブラック３１）、ミツイナイロンブラックＧＬ（Ｃ．Ｉ．アシッドブラック５２）、アイゼンオパールブラックＷＨエクストラコンク（Ｃ．Ｉ．アシッドブラック５２）、スミランブラックＷＡ（Ｃ．Ｉ．アシッドブラック５２）、ラニルブラックＢＧエクストラコンク（Ｃ．Ｉ．アシッドブラック１０７）、カヤノールミリングブラックＴＬＢ（Ｃ．Ｉ．アシッドブラック１０９）、スミノールミリングブラックＢ（Ｃ．Ｉ．アシッドブラック１０９）、カヤノールミリングブラックＴＬＲ（Ｃ．Ｉ．アシッドブラック１１０）、アイゼンオパールブラックニューコンク（Ｃ．Ｉ．アシッドブラック１１９）、ウォーターブラック１８７−Ｌ（Ｃ．Ｉ．アシッドブラック１５４）、カヤクアシッドブリリアントフラビンＦＦ（Ｃ．Ｉ．アシッドエロー７：１）、カヤシルエローＧＧ（Ｃ．Ｉ．アシッドエロー１７）、キシレンライトエロー２Ｇ１４０％（Ｃ．Ｉ．アシッドエロー１７）、スミノールレベリングエローＮＲ（Ｃ．Ｉ．アシッドエロー１９）、ダイワタートラジン（Ｃ．Ｉ．アシッドエロー２３）、カヤクタートラジン（Ｃ．Ｉ．アシッドエロー２３）、スミノールファストエローＲ（Ｃ．Ｉ．アシッドエロー２５）、ダイアシッドライトエロー２ＧＰ（Ｃ．Ｉ．アシッドエロー２９）、スミノールミリングエローＯ（Ｃ．Ｉ．アシッドエロー３８）、スミノールミリングエローＭＲ（Ｃ．Ｉ．アシッドエロー４２）、ウォーターエロー＃６（Ｃ．Ｉ．アシッドエロー４２）、カヤノールエローＮＦＧ（Ｃ．Ｉ．アシッドエロー４９）、スミノールミリングエロー３Ｇ（Ｃ．Ｉ．アシッドエロー７２）、スミノールファストエローＧ（Ｃ．Ｉ．アシッドエロー６１）、スミノールミリングエローＧ（Ｃ．Ｉ．アシッドエロー７８）、カヤノールエローＮ５Ｇ（Ｃ．Ｉ．アシッドエロー１１０）、スミノールミリングエロー４Ｇ２００％（Ｃ．Ｉ．アシッドエロー１４１）、カヤノールエローＮＧ（Ｃ．Ｉ．アシッドエロー１３５）、カヤノールミリングエロー５ＧＷ（Ｃ．Ｉ．アシッドエロー１２７）、カヤノールミリングエロー６ＧＷ（Ｃ．Ｉ．アシッドエロー１４２）、スミトモファストスカーレットＡ（Ｃ．Ｉ．アシッドレッド８）、カヤクシルクスカーレット（Ｃ．Ｉ．アシッドレッド９）、ソーラールビンエクストラ（Ｃ．Ｉ．アシッドレッド１４）、ダイワニューコクシン（Ｃ．Ｉ．アシッドレッド１８）、アイゼンボンソーＲＨ（Ｃ．Ｉ．アシッドレッド２６）、ダイワ赤色２号（Ｃ．Ｉ．アシッドレッド２７）、スミノールレベリングブリリアントレッドＳ３Ｂ（Ｃ．Ｉ．アシッドレッド３５）、カヤシルルビノール３ＧＳ（Ｃ．Ｉ．アシッドレッド３７）、アイゼンエリスロシン（Ｃ．Ｉ．アシッドレッド５１）、カヤクアシッドローダミンＦＢ（Ｃ．Ｉ．アシッドレッド５２）、スミノールレベリングルビノール３ＧＰ（Ｃ．Ｉ．アシッドレッド５７）、ダイアシッドアリザリンルビノールＦ３Ｇ２００％（Ｃ．Ｉ．アシッドレッド８２）、アイゼンエオシンＧＨ（Ｃ．Ｉ．アシッドレッド８７）、ウォーターピンク＃２（Ｃ．Ｉ．アシッドレッド９２）、アイゼンアシッドフロキシンＰＢ（Ｃ．Ｉ．アシッドレッド９２）、ローズベンガル（Ｃ．Ｉ．アシッドレッド９４）、カヤノールミリングスカーレットＦＧＷ（Ｃ．Ｉ．アシッドレッド１１１）、カヤノールミリングルビン３ＢＷ（Ｃ．Ｉ．アシッドレッド１２９）、スミノオールミリングブリリアントレッド３ＢＮコンク（Ｃ．Ｉ．アシッドレッド１３１）、スミノールミリングブリリアントレッドＢＳ（Ｃ．Ｉ．アシッドレッド１３８）、アイゼンオパールピンクＢＨ（Ｃ．Ｉ．アシッドレッド１８６）、スミノールミリングブリリアントレッドＢコンク（Ｃ．Ｉ．アシッドレッド２４９）、カヤクアシッドブリリアントレッド３ＢＬ（Ｃ．Ｉ．アシッドレッド２５４）、カヤクアシッドブリリドブリリアントレッドＢＬ（Ｃ．Ｉ．アシッドレッド２６５）、カヤノールミリングレッドＧＷ（Ｃ．Ｉ．アシッドレッド２７６）、ミツイアシッドバイオレット６ＢＮ（Ｃ．Ｉ．アシッドバイオレット１５）、ミツイアシッドバイオレットＢＮ（Ｃ．Ｉ．アシッドバイオレット１７）、スミトモパテントピュアブルーＶＸ（Ｃ．Ｉ．アシッドブルー１）、ウォーターブルー＃１０６（Ｃ．Ｉ．アシッドブルー１）、パテントブルーＡＦ（Ｃ．Ｉ．アシッドブルー７）、ウォーターブルー＃９（Ｃ．Ｉ．アシッドブルー９）、ダイワ青色１号（Ｃ．Ｉ．アシッドブルー９）、スプラノールブルーＢ（Ｃ．Ｉ．アシッドブルー１５）、オリエントソルブルブルーＯＢＣ（Ｃ．Ｉ．アシッドブルー２２）、スミノールレベリングブルー４ＧＬ（Ｃ．Ｉ．アシッドブルー２３）、ミツイナイロンファストブルーＧ（Ｃ．Ｉ．アシッドブルー２５）、カヤシルブルーＡＧＧ（Ｃ．Ｉ．アシッドブルー４０）、カヤシルブルーＢＲ（Ｃ．Ｉ．アシッドブルー４１）、ミツイアリザリンサフィロールＳＥ（Ｃ．Ｉ．アシッドブルー４３）、スミノールレベリングスカイブルーＲエクストラコンク（Ｃ．Ｉ．アシッドブルー６２）、ミツイナイロンファストスカイブルーＢ（Ｃ．Ｉ．アシッドブルー７８）、スミトモブリリアントインドシアニン６Ｂｈ／ｃ（Ｃ．Ｉ．アシッドブルー８３）、サンドランシアニンＮ−６Ｂ３５０％（Ｃ．Ｉ．アシッドブルー９０）、ウォーターブルー＃１１５（Ｃ．Ｉ．アシッドブルー９０）、オリエントソルブルブルーＯＢＢ（Ｃ．Ｉ．アシッドブルー９３）、スミトモブリリアントブルー５Ｇ（Ｃ．Ｉ．アシッドブルー１０３）、カヤノールミリングウルトラスカイＳＥ（Ｃ．Ｉ．アシッドブルー１１２）、カヤノールミリングシアニン５Ｒ（Ｃ．Ｉ．アシッドブルー１１３）、アイゼンオパールブルー２ＧＬＨ（Ｃ．Ｉ．アシッドブルー１５８）、ダイワギニアグリーンＢ（Ｃ．Ｉ．アシッドグリーン３）、アシッドブリリアントミリンググリーンＢ（Ｃ．Ｉ．アシッドグリーン９）、ダイワグリーン＃７０（Ｃ．Ｉ．アシッドグリーン１６）、カヤノールシアニングリーンＧ（Ｃ．Ｉ．アシッドグリーン２５）、スミノールミリンググリーンＧ（Ｃ．Ｉ．アシッドグリーン２７）等の酸性染料、アイゼンカチロンイエロー３ＧＬＨ（Ｃ．Ｉ．ベーシックイエロー１１）、アイゼンカチロンブリリアントイエロー５ＧＬＨ（Ｃ．Ｉ．ベーシックイエロー１３）、スミアクリルイエローＥ−３ＲＤ（Ｃ．Ｉ．ベーシックイエロー１５）、マキシロンイエロー２ＲＬ（Ｃ．Ｉ．ベーシックイエロー１９）、アストラゾンイエロー７ＧＬＬ（Ｃ．Ｉ．ベーシックイエロー２１）、カヤクリルゴールデンイエローＧＬ−ＥＤ（Ｃ．Ｉ．ベーシックイエロー２８）、アストラゾンイエロー５ＧＬ（Ｃ．Ｉ．ベーシックイエロー５１）、アイゼンカチロンオレンジＧＬＨ（Ｃ．Ｉ．ベーシックオレンジ２１）、アイゼンカチロンブラウン３ＧＬＨ（Ｃ．Ｉ．ベーシックオレンジ３０）、ローダミン６ＧＣＰ（Ｃ．Ｉ．ベーシックレッド１）、アイゼンアストラフロキシン（Ｃ．Ｉ．ベーシックオレンジ１２）、スミアクリルブリリアントレッドＥ−２Ｂ（Ｃ．Ｉ．ベーシックオレンジ１５）、アストラゾンレッドＧＴＬ（Ｃ．Ｉ．ベーシックオレンジ１８）、アイゼンカチロンブリリアントピンクＢＧＨ（Ｃ．Ｉ．ベーシックオレンジ２７）、マキシロンレッドＧＲＬ（Ｃ．Ｉ．ベーシックオレンジ４６）、アイゼンメチルバイオレット（Ｃ．Ｉ．ベーシックバイオレット１）、アイゼンクリスタルバイオレット（Ｃ．Ｉ．ベーシックバイオレット３）、アイゼンローダミンＢ（Ｃ．Ｉ．ベーシックバイオレット１０）、アストラゾンブルーＧ（Ｃ．Ｉ．ベーシックブルー１）、アストラゾンブルーＢＧ（Ｃ．Ｉ．ベーシックブルー３）、メチレンブルー（Ｃ．Ｉ．ベーシックブルー９）、マキシロンブルーＧＲＬ（Ｃ．Ｉ．ベーシックブルー４１）、アイゼンカチロンブルーＢＲＬＨ（Ｃ．Ｉ．ベーシックブルー５４）、アイゼンダイヤモンドグリーンＧＨ（Ｃ．Ｉ．ベーシックグリーン１）、アイゼンマラカイトグリーン（Ｃ．Ｉ．ベーシックグリーン４）、ビスマルクブラウンＧ（Ｃ．Ｉ．ベーシックブラウン１）等の塩基性染料が挙げられる。また、油溶性染料として、トリアリールメタン系染料、フタロシアニン系染料、キサンテン系染料、インドリノン系染料、アゾ系染料、メチン系染料以外の染料として、Ｏｒｉｅｎｔ  Ｎｉｇｒｏｓｉｎｅ  ＢＲ（Ｃ．Ｉ．Ａｃｉｄ  Ｂｌａｃｋ  ２、オリヱント化学工業（株）製）、Ｃ．Ｉ．Ｓｏｌｖｅｎｔ  Ｂｌａｃｋ  ５、同７、Ｎｉｇｒｏｓｉｎｅ  Ｂａｓｅ  ＥＲ（Ｃ．Ｉ．Ｓｏｌｖｅｎｔ  Ｂｌａｃｋ  ７、オリヱント化学工業（株）製）、Ｎｉｇｒｏｓｉｎｅ  Ｂａｓｅ  ＥＸ（Ｃ．Ｉ．Ｓｏｌｖｅｎｔ  Ｂｌａｃｋ  ７、オリヱント化学工業（株）製）、Ｎｉｇｒｏｓｉｎｅ  Ｂａｓｅ  ＥＸ−ＢＰ（Ｃ．Ｉ．Ｓｏｌｖｅｎｔ  Ｂｌａｃｋ  ７）などのニグロシン系染料、Ｃ．Ｉ．Ｄｉｓｐｅｒｓｅ  Ｒｅｄ  ９、Ｃ．Ｉ．Ｓｏｌｖｅｎｔ  Ｖｉｏｌｅｔ  １３、同１４、Ｃ．Ｉ．Ｄｉｓｐｅｒｓｅ  Ｖｉｏｌｅｔ  １、Ｃ．Ｉ．Ｓｏｌｖｅｎｔ  Ｂｌｕｅ  １１、同１２、同３６、Ｃ．Ｉ．Ｓｏｌｖｅｎｔ  Ｇｒｅｅｎ  ３、Ｋａｙａｒｕｓ  Ｓｕｐｒａ  Ｂｌｕｅ  ＦＦ２ＧＬ（Ｃ．Ｉ．Ｄｉｒｅｃｔ  Ｂｌｕｅ  １０６、日本化薬（株）製）、Ｋａｙａｋｕ  Ａｃｉｄ  Ｂｒｉｌｌｉａｎｔ  Ｆｌａｖｉｎｅ  
ＦＦ（Ｃ．Ｉ．Ａｃｉｄ  Ｙｅｌｌｏｗ  ７、日本化薬（株）製）、Ａｕｍｉｎｏｌ  Ｌｅｖｅｌｉｎｇ  Ｂｌｕｅ  ４ＧＬ（Ｃ．Ｉ．Ａｃｉｄ  Ｂｌｕｅ  ２３、三井化学（株）製）、Ｍｉｔｓｕｉ  Ｎｙｌｏｎ  Ｆａｓｔ  Ｂｌｕｅ  Ｇ（Ｃ．Ｉ．Ａｃｉｄ  Ｂｌｕｅ  ２５、三井化学（株）製）、Ｋａｙａｃｙｌ  Ｂｌｕｅ  ＡＧＧ（Ｃ．Ｉ．Ａｃｉｄ  Ｂｌｕｅ  ４０、日本化薬（株）製）、Ｋａｙａｃｙｌ  Ｂｌｕｅ  ＢＲ（Ｃ．Ｉ．Ａｃｉｄ  Ｂｌｕｅ  ４１、日本化薬（株）製）、Ｍｉｔｓｕｉ  Ａｌｉｚａｒｉｎｅ  Ｓａｐｈｉｒｏｌ  ＳＥ（Ｃ．Ｉ．Ａｃｉｄ  Ｂｌｕｅ  ４３、三井化学（株）製）、Ｍｉｔｓｕｉ  Ｎｙｌｏｎ  Ｆａｓｔ  Ｓｋｙ  Ｂｌｕｅ  Ｂ（Ｃ．Ｉ．Ａｃｉｄ  Ｂｌｕｅ  ７８、三井化学（株）製）、Ｋａｙａｎｏｌ  Ｍｉｌｌｉｎｇ  Ｕｌｔｒａ  Ｓｋｙ  ＳＥ（Ｃ．Ｉ．Ａｃｉｄ  Ｂｌｕｅ  １１２、日本化薬（株）製）、Ｋａｙａｎｏｌ  Ｃｙａｎｉｎｅ  Ｇｒｅｅｎ  Ｇ（Ｃ．Ｉ．Ａｃｉｄ  Ｇｒｅｅｎ  ２５、日本化薬（株）製）、Ｓｕｍｉｎｏｌ  Ｍｉｌｌｉｎｇ  Ｇｒｅｅｎ  Ｇ（Ｃ．Ｉ．Ａｃｉｄ  Ｇｒｅｅｎ  ２７、住友化学工業（株）製）などを挙げる事ができ、用いることができる。
【００２６】
染料は、単独、あるいは２種以上混合して使用しても良い。染料のインキ組成物中における含有量は、インキ組成物全量に対し０．１重量％以上３０．０重量％以下が好ましい。０．１重量％より少ないと染色が十分でなく、３０．０重量％より多いと、固形分が増加する事でインキの追従性が悪化しカスレが発生しやすくなる。
【００２７】
顔料としては、従来の水性インキに用いられるアゾ系顔料、ニトロソ系顔料、ニトロ系顔料、塩基性染料系顔料、酸性染料系顔料、建て染め染料系顔料、媒染染料系顔料、及び天然染料系顔料等の有機系顔料、黄土、バリウム黄、紺青、カドミウムレッド、硫酸バリウム、酸化チタン、弁柄、鉄黒、カーボンブラック等の無機顔料等が挙げられる。具体的にはアニリンブラック（Ｃ．Ｉ．５０４４０）、シアニンブラック、ナフトールエローＳ（Ｃ．Ｉ．１０３１６）、ハンザエロー１０Ｇ（Ｃ．Ｉ．１１７１０）、ハンザエロー５Ｇ（Ｃ．Ｉ．１１６６０），ハンザエロー３Ｇ（Ｃ．Ｉ．１１６７０）、ハンザエローＧ（Ｃ．Ｉ．１１６８０），ハンザエローＧＲ（Ｃ．Ｉ．１１７３０）、ハンザエローＡ（Ｃ．Ｉ．１１７３５）、ハンザエローＲＮ（Ｃ．Ｉ．１１７４０）、ハンザエローＲ（Ｃ．Ｉ．１２７１０）、ピグメントエローＬ（Ｃ．Ｉ．１２７２０）、ベンジジンエロー（Ｃ．Ｉ．２１０９０）、ベンジジンエローＧ（Ｃ．Ｉ．２１０９５）、ベンジジンエローＧＲ（Ｃ．Ｉ．２１１００）、パーマネントエローＮＣＧ（Ｃ．Ｉ．２００４０）、バルカンファストエロー５Ｇ（Ｃ．Ｉ．２１２２０）、バルカンファストエローＲ（Ｃ．Ｉ．２１１３５）、タートラジンレーキ（Ｃ．Ｉ．１９１４０）、キノリンエローレーキ（Ｃ．Ｉ．４７００５）、アンスラゲンエロー６ＧＬ（Ｃ．Ｉ．６０５２０）、パーマネントエローＦＧＬ、パーマネントエローＨ１０Ｇ、パーマネントエローＨＲ、アンスラピリミジンエロー（Ｃ．Ｉ．６８４２０）、スダーンＩ（Ｃ．Ｉ．１２０５５）、パーマネントオレンジ（Ｃ．Ｉ．１２０７５）、リソールファストオレンジ（Ｃ．Ｉ．１２１２５）、パーマネントオレンジＧＴＲ（Ｃ．Ｉ．１２３０５）、ハンザエロー３Ｒ（Ｃ．Ｉ．１１７２５）、バルカンファストオレンジＧＧ（Ｃ．Ｉ．２１１６５）、ベンジジンオレンジＧ（Ｃ．Ｉ．２１１１０）、ペルシアンオレンジ（Ｃ．Ｉ．１５５１０）、インダンスレンブリリアントオレンジＧＫ（Ｃ．Ｉ．５９３０５）、インダンスレンブリリアントオレンジＲＫ（Ｃ．Ｉ．５９１０５）、インダンスレンブリリアントオレンジＧＲ（Ｃ．Ｉ．７１１０５）、パーマネントブラウンＦＧ（Ｃ．Ｉ．１２４８０）、パラブラウン（Ｃ．Ｉ．１２０７１）、パーマネントレッド４Ｒ（Ｃ．Ｉ．１２１２０）、パラレッド（Ｃ．Ｉ．１２０７０）、ファイヤーレッド（Ｃ．Ｉ．１２０８５）、パラクロルオルトアニリンレッド（Ｃ．Ｉ．１２０９０）、リソールファストスカーレット、ブリリアントファストスカーレット（Ｃ．Ｉ．１２３１５）、ブリリアントカーミンＢＳ、パーマネントレッドＦ２Ｒ（Ｃ．Ｉ．１２３１０）、パーマネントレッドＦ４Ｒ（Ｃ．Ｉ．１２３３５）、パーマネントレッドＦＲＬ（Ｃ．Ｉ．１２４４０）、パーマネントレッドＦＲＬＬ（Ｃ．Ｉ．１２４６０），パーマネントレッドＦ４ＲＨ（Ｃ．Ｉ．１２４２０）、ファストスカーレットＶＤ、バルカンファストルビンＢ（Ｃ．Ｉ．１２３２０）、バルカンファストピンクＧ（Ｃ．Ｉ．１２３３０），ライトファストレッドトーナーＢ（Ｃ．Ｉ．１２４５０）、ライトファストレッドトーナーＲ（Ｃ．Ｉ．１２４５５）、パーマネントカーミンＦＢ（Ｃ．Ｉ．１２４９０）、ピラゾロンレッド（Ｃ．Ｉ．１２１２０）、リソールレッド（Ｃ．Ｉ．１５６３０）、レーキレッドＣ（Ｃ．Ｉ．１５５８５）、レーキレッドＤ（Ｃ．Ｉ．１５５００）、アンソシンＢ（Ｃ．Ｉ．１８０３０）、ブリリアントスカーレットＧ（Ｃ．Ｉ．１５８００）、リソールルビンＧＫ（Ｃ．Ｉ．１５８２５）、パーマネントレッドＦ５Ｒ（Ｃ．Ｉ．１５８６５）、ブリリアントカーミン６Ｂ（Ｃ．Ｉ．１５８５０）、ピグメントスカーレット３Ｂ（Ｃ．Ｉ．１６１０５）、ボルドー５Ｂ（Ｃ．Ｉ．１２１７０）、トルイジンマルーン（Ｃ．Ｉ．１２３５０）、パーマネントボルドーＦ２Ｒ（Ｃ．Ｉ．１２３８５）、ヘリオボルドーＢＬ（Ｃ．Ｉ．１４８３０）、ボルドー１０Ｂ（Ｃ．Ｉ．１５８８０）、ボンマルーンライト（Ｃ．Ｉ．１５８２５）、ボンマルーンメジウム（Ｃ．Ｉ．１５８８０）、エオシンレーキ（Ｃ．Ｉ．４５３８０）、ローダミンレーキＢ（Ｃ．Ｉ．４５１７０）、ローダミンレーキＹ（Ｃ．Ｉ．４５１６０）、アリザリンレーキ（Ｃ．Ｉ．５８０００）、チオインジゴレッドＢ（Ｃ．Ｉ．７３３００）、チオインジゴマルーン（Ｃ．Ｉ．７３３８５）、パーマネントレッドＦＧＲ（Ｃ．Ｉ．１２３７０）、ＰＶカーミンＨＲ、ワッチングレッド，モノライトファストレッドＹＳ（Ｃ．Ｉ．５９３００）、パーマネントレッドＢＬ、ファストバイオレットＢ、メチルバイオレットレーキ（Ｃ．Ｉ．４２５３５）、ジオキサジンバイオレット、アルカリブルーレーキ（Ｃ．Ｉ．４２７５０Ａ、Ｃ．Ｉ．４２７７０Ａ）、ピーコックブルーレーキ（Ｃ．Ｉ．４２０９０）、ピーコックブルーレーキ（Ｃ．Ｉ．４２０２５）、ビクトリアブルーレーキ（Ｃ．Ｉ．４４０４５）、フタロシアニンブルー（Ｃ．Ｉ．７４１６０）、ファストスカイブルー（Ｃ．Ｉ．７４１８０）、インダンスレンブルーＲＳ（Ｃ．Ｉ．６９８００）、インダンスレンブルーＢＣ（Ｃ．Ｉ．６９８２５）、インジゴ（Ｃ．Ｉ．７３０００）、ピグメントグリーンＢ（Ｃ．Ｉ．１０００６）、ナフトールグリーンＢ（Ｃ．Ｉ．１００２０）、グリーンゴールド（Ｃ．Ｉ．１２７７５）、アシッドグリーンレーキ、マラカイトグリーンレーキ（Ｃ．Ｉ．４２０００）、フタロシアニングリーン等が挙げられる。
【００２８】
また、水性媒体に分散した水性インキベースを用いることは、顔料インキ製造上有利なことである。具体的には、Ｆｕｊｉ  ＳＰ  Ｂｌａｃｋ８０３１、Ｆｕｊｉ  ＳＰ  Ｂｌａｃｋ８１１９、Ｆｕｊｉ  ＳＰ  Ｂｌａｃｋ８１６７、Ｆｕｊｉ  ＳＰ  Ｂｌａｃｋ８２７６、Ｆｕｊｉ  ＳＰ  Ｂｌａｃｋ８３８１、Ｆｕｊｉ  ＳＰ  Ｂｌａｃｋ８４０６、Ｆｕｊｉ  ＳＰ  Ｒｅｄ  ５０９６、Ｆｕｊｉ  ＳＰ  Ｒｅｄ５１１１、Ｆｕｊｉ  ＳＰ  Ｒｅｄ５１９３、Ｆｕｊｉ  ＳＰ  Ｒｅｄ５２２０、Ｆｕｊｉ  ＳＰ  Ｂｏｒｄｅａｕｘ  ５５００、Ｆｕｊｉ  ＳＰ  Ｂｌｕｅ  ６０６２、Ｆｕｊｉ  ＳＰ  Ｂｌｕｅ６１３３、Ｆｕｊｉ  ＳＰ  Ｂｌｕｅ６１３４、Ｆｕｊｉ  ＳＰ  Ｂｌｕｅ６４０１、Ｆｕｊｉ  ＳＰ  Ｇｒｅｅｎ  ７０５１、Ｆｕｊｉ  ＳＰ  Ｙｅｌｌｏｗ  ４０６０、Ｆｕｊｉ  ＳＰ  Ｙｅｌｌｏｗ  ４１７８、Ｆｕｊｉ  ＳＰ  Ｖｉｏｌｅｔ  ９０１１、Ｆｕｊｉ  ＳＰ  Ｐｉｎｋ  ９５２４、同９５２７、Ｆｕｊｉ  ＳＰ  Ｏｒａｎｇｅ  ５３４、Ｆｕｊｉ  ＳＰ  Ｂｒｏｗｎ  ３０７４、Ｆｕｊｉ  ＳＰ  ＲＥＤ  ５５４３、ＦＵＪＩ  ＳＰ  ＲＥＤ５５４４（以上、富士色素株式会社製）、Ｅｍａｃｏｌ  Ｂｌａｃｋ  ＣＮ、Ｅｍａｃｏｌ  Ｂｌｕｅ  ＦＢＢ、Ｅｍａｃｏｌ  Ｂｌｕｅ  ＦＢ、Ｅｍａｃｏｌ  Ｂｌｕｅ  ＫＲ、Ｅｍａｃｏｌ  Ｇｒｅｅｎ  ＬＸＢ、Ｅｍａｃｏｌ  Ｖｉｏｌｅｔ  ＢＬ、Ｅｍａｃｏｌ  Ｂｒｏｗｎ  ３１０１、Ｅｍａｃｏｌ  Ｃａｒｍｍｉｎｅ  ＦＢ、Ｅｍａｃｏｌ  Ｒｅｄ  ＢＳ、Ｅｍａｃｏｌ  Ｏｒａｎｇｅ  Ｒ、Ｅｍａｃｏｌ  Ｙｅｌｌｏｗ  ＦＤ、Ｅｍａｃｏｌ  Ｙｅｌｌｏｗ  ＩＲＮ、Ｅｍａｃｏｌ  Ｙｅｌｌｏｗ  ３６０１、Ｅｍａｃｏｌ  Ｙｅｌｌｏｗ  ＦＧＮ、Ｅｍａｃｏｌ  Ｙｅｌｌｏｗ  ＧＮ、Ｅｍａｃｏｌ  Ｙｅｌｌｏｗ  ＧＧ、Ｅｍａｃｏｌ  Ｙｅｌｌｏｗ  Ｆ５Ｇ、Ｅｍａｃｏｌ  Ｙｅｌｌｏｗ  Ｆ７Ｇ、Ｅｍａｃｏｌ  Ｙｅｌｌｏｗ  １０ＧＮ、Ｅｍａｃｏｌ  Ｙｅｌｌｏｗ  １０Ｇ、Ｓａｎｄｙｅ  Ｓｕｐｅｒ  Ｂｌａｃｋ  Ｋ、Ｓａｎｄｙｅ  Ｓｕｐｅｒ  Ｂｌａｃｋ  Ｃ、Ｓａｎｄｙｅ  Ｓｕｐｅｒ  Ｇｒｅｙ  Ｂ、Ｓａｎｄｙｅ  Ｓｕｐｅｒ  Ｂｒｏｗｎ  ＳＢ、Ｓａｎｄｙｅ  Ｓｕｐｅｒ  Ｂｒｏｗｎ  ＦＲＬ、Ｓａｎｄｙｅ  Ｓｕｐｅｒ  Ｂｒｏｗｎ  ＲＲ、ＳａｎｄｙｅＳｕｐｅｒ  Ｇｒｅｅｎ  Ｌ５Ｇ、ＳａｎｄｙｅＳｕｐｅｒ  Ｇｒｅｅｎ  ＧＸＢ、Ｓａｎｄｙｅ  Ｓｕｐｅｒ  Ｎａｖｙ  Ｂｌｕｅ  ＨＲＬ、Ｓａｎｄｙｅ  Ｓｕｐｅｒ  Ｎａｖｙ  Ｂｌｕｅ  ＧＬＬ、Ｓａｎｄｙｅ  Ｓｕｐｅｒ  Ｎａｖｙ  Ｂｌｕｅ  ＨＢ、Ｓａｎｄｙｅ  Ｓｕｐｅｒ  Ｎａｖｙ  Ｂｌｕｅ  ＦＢＬ−Ｈ、Ｓａｎｄｙｅ  Ｓｕｐｅｒ  Ｎａｖｙ  Ｂｌｕｅ  ＦＢＬ−１６０、Ｓａｎｄｙｅ  Ｓｕｐｅｒ  Ｎａｖｙ  Ｂｌｕｅ  ＦＢＢ、Ｓａｎｄｙｅ  Ｓｕｐｅｒ  Ｖｉｏｌｅｔ  ＢＬ  Ｈ／Ｃ、Ｓａｎｄｙｅ  Ｓｕｐｅｒ  Ｖｉｏｌｅｔ  ＢＬ  ＢＬ、Ｓａｎｄｙｅ  Ｓｕｐｅｒ  Ｂｏｒｄｅａｕｘ  ＦＲ、Ｓａｎｄｙｅ  Ｓｕｐｅｒ  Ｐｉｎｋ  ＦＢＬ、Ｓｕｐｅｒ  Ｐｉｎｋ  Ｆ５Ｂ、Ｓａｎｄｙｅ  Ｓｕｐｅｒ  Ｒｕｂｉｎｅ  ＦＲ、Ｓａｎｄｙｅ  ｓｕｐｅｒ  Ｃａｒｍｍｉｎｅ  ＦＢ、ＳａｎｄｙｅＳｕｐｅｒ  Ｒｅｄ  ＦＦＧ、ＳａｎｄｙｅＳｕｐｅｒ  Ｒｅｄ  ＲＲ、ＳａｎｄｙｅＳｕｐｅｒ  Ｒｅｄ  ＢＳ、Ｓａｎｄｙｅ  Ｓｕｐｅｒ  Ｏｒａｎ���ｅ  ＦＬ、Ｓａｎｄｙｅ  Ｓｕｐｅｒ  Ｏｒａｎｇｅ  Ｒ、Ｓａｎｄｙｅ  Ｓｕｐｅｒ  Ｏｒａｎｇｅ  ＢＯ、Ｓａｎｄｙｅ  Ｇｏｌｄ  Ｙｅｌｌｏｗ  ５ＧＲ、Ｓａｎｄｙｅ  Ｇｏｌｄ  Ｙｅｌｌｏｗ  Ｒ、Ｓａｎｄｙｅ  Ｇｏｌｄ  Ｙｅｌｌｏｗ  ３Ｒ、Ｓａｎｄｙｅ  Ｙｗｌｌｏｗ  ＧＧ、Ｓａｎｄｙｅ  Ｙｗｌｌｏｗ  Ｆ３Ｒ、Ｓａｎｄｙｅ  Ｙｗｌｌｏｗ  ＩＲＣ、Ｓａｎｄｙｅ  Ｙｗｌｌｏｗ  ＦＧＮ、Ｓａｎｄｙｅ  Ｙｗｌｌｏｗ  ＧＮ、Ｓａｎｄｙｅ  Ｙｗｌｌｏｗ  ＧＲＳ、Ｓａｎｄｙｅ  Ｙｗｌｌｏｗ  ＧＳＲ−１３０、Ｓａｎｄｙｅ  Ｙｗｌｌｏｗ  ＧＳＮ−１３０、Ｓａｎｄｙｅ  Ｙｗｌｌｏｗ  ＧＳＮ、Ｓａｎｄｙｅ  Ｙｗｌｌｏｗ  １０ＧＮ（以上、山陽色素株式会社製）、Ｒｉｏ  Ｆａｓｔ  ＢｌａｃｋＦｘ  ８０１２、Ｒｉｏ  Ｆａｓｔ  ＢｌａｃｋＦｘ  ８３１３、Ｒｉｏ  Ｆａｓｔ  ＢｌａｃｋＦｘ  ８１６９、Ｒｉｏ  Ｆａｓｔ  Ｒｅｄ  Ｆｘ８２０９、Ｒｉｏ  Ｆａｓｔ  Ｒｅｄ  Ｆｘ  ８１７２、Ｒｉｏ  Ｆａｓｔ  Ｒｅｄ  Ｓ  Ｆｘ  ８３１５、Ｒｉｏ  Ｆａｓｔ  Ｒｅｄ  Ｓ  Ｆｘ  ８３１６、Ｒｉｏ  Ｆａｓｔ  Ｂｌｕｅ  Ｆｘ  ８１７０、Ｒｉｏ  Ｆａｓｔ  Ｂｌｕｅ  ＦＸ  ８１７０、Ｒｉｏ  Ｆａｓｔ  Ｂｌｕｅ  Ｓ  Ｆｘ  ８３１２、Ｒｉｏ  Ｆａｓｔ  Ｇｒｅｅｎ  Ｓ  Ｆｘ  ８３１４（以上、東洋インキ株式会社製）、ＮＫＷ−２１０１、ＮＫＷ−２１０２、ＮＫＷ−２１０３、ＮＫＷ−２１０４、ＮＫＷ−２１０５、ＮＫＷ−２１０６、ＮＫＷ−２１０７、ＮＫＷ−２１０８、ＮＫＷ−２１１７、ＮＫＷ−２１２７、ＮＫＷ−２１３７、ＮＫＷ−２１６７、ＮＫＷ−２１０１Ｐ、ＮＫＷ−２１０２Ｐ、ＮＫＷ−２１０３Ｐ、ＮＫＷ−２１０４Ｐ、ＮＫＷ−２１０５Ｐ、ＮＫＷ−２１０６Ｐ、ＮＫＷ−２１０７Ｐ、ＮＫＷ−２１０８Ｐ、ＮＫＷ−２１１７Ｐ、ＮＫＷ−２１２７Ｐ、ＮＫＷ−２１３７Ｐ、ＮＫＷ−２１６７Ｐ、ＮＫＷ−３００２、ＮＫＷ−３００３、ＮＫＷ−３００４、ＮＫＷ−３００５、ＮＫＷ−３００７、ＮＫＷ−３０７７、ＮＫＷ−３００８、ＮＫＷ−３４０２、ＮＫＷ−３４０４、ＮＫＷ−３４０５、ＮＫＷ−３４０７、ＮＫＷ−３４０８、ＮＫＷ−３４７７、ＮＫＷ−３６０２、ＮＫＷ−３６０３、ＮＫＷ−３６０４、ＮＫＷ−３６０５、ＮＫＷ−３６０７、ＮＫＷ−３６７７、ＮＫＷ−３６０８、ＮＫＷ−３７０２、ＮＫＷ−３７０３、ＮＫＷ−３７０４、ＮＫＷ−３７０５、ＮＫＷ−３７７７、ＮＫＷ−３７０８、ＮＫＷ−６０１３、ＮＫＷ−６０３８、ＮＫＷ−６５５９（以上、日本蛍光株式会社製）、コスモカラーＳ１０００Ｆシリーズ（東洋ソーダ株式会社製）、ビクトリアエロー  Ｇ−１１、同Ｇ−２０、ビクトリアオレンジ  Ｇ−１６、同Ｇ−２１、ビクトリアレッド  Ｇ−１９、同Ｇ−２２、ビクトリアピンク  Ｇ−１７、同Ｇ−２３、ビクトリアグリーン  Ｇ−１８、同Ｇ−２４、ビクトリアブルー  Ｇ−１５、同Ｇ−２５（以上、御国色素株式会社製）、ポルックスＰＣ５Ｔ１０２０、ポルックスブラックＰＣ８Ｔ１３５、ポルックスレッドＩＴ１０３０等のポルックスシリーズ（以上、住化カラー株式会社製）などが挙げられる。
【００２９】
また、油性インキ組成物に使用可能な加工顔料の具体例として、Ｒｅｎｏｌ  Ｙｅｌｌｏｗ  ＧＧ−ＨＷ３０、同ＨＲ−ＨＷ３０、同Ｏｒａｎｇｅ  ＲＬ−ＨＷ３０、同Ｒｅｄ  ＨＦ２Ｂ−ＨＷ３０、同ＦＧＲ−ＨＷ３０、同Ｆ５ＲＫ−ＨＷ３０、同Ｃａｒｍｉｎｅ  ＦＢＢ−ＨＷ３０、同Ｖｉｏｌｅｔ  ＲＬ−ＨＷ３０、同Ｂｌｕｅ  Ｂ２Ｇ−ＨＷ３０、同ＣＦ−ＨＷ３０、同Ｇｒｅｅｎ  ＧＧ−ＨＷ３０、同Ｂｒｏｗｎ  ＨＦＲ−ＨＷ３０、Ｂｌａｃｋ  Ｒ−ＨＷ３０（以上、クラリアントジャパン（株）製）、ＵＴＣＯ−００１イエロー、同０１２イエロー、同０２１オレンジ、同０３１レッド、同０３２レッド、同０４２バイオレット、同０５１ブルー、同０５２ブルー、同０６１グリーン、同５９１ブラック、同５９２ブラック（以上、大日精化工業（株）製）等、を挙げることができる。
【００３０】
顔料は、単独、あるいは２種以上混合して使用しても良い。顔料のインキ組成物中における含有量は、インキ組成物全量に対し３．０重量％以上１５．０重量％以下が好ましい。３．０重量％より少ないと筆跡の濃度が十分でなく、１５．０重量％より多いと、経時的に沈降を防止することが困難となる。
【００３１】
着色剤を溶解又は分散させる液媒体としての溶剤は、水のほかに各種有機溶剤が使用できる。
【００３２】
全溶剤中最も多く含まれる主溶剤として有機溶剤を使用する場合、使用可能な有機溶剤の例として、グリセリン等のグリセリン類、ベンジルグリコール、ベンジルジグリコール等のグリコール類、エチレングリコールモノメチルエーテル、プロピレングリコールモノメチルエーテル、ジエチレングリコールモノメチルエーテル、ジプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル、エチレングリコールモノブチルエーテル、エチレングリコールモノヘキシルエーテル、エチレングリコールモノフェニルエーテル、ジエチレングリコールモノブチルエーテル、ジエチレングリコールモノヘキシルエーテル、ジエチレングリコールモノフェニルエーテル、プロピレングリコールモノブチルエーテル、プロピレングリコールモノフェニルエーテル、トリプロピレングリコールモノブチルエーテル、トリプロピレングリコールモノフェニルエーテル等のグリコールエーテル類、エタノール、ノルマルプロピルアルコール、イソプロピルアルコール、ｎ-ブタノール、イソブタノール、ベンジルアルコール、α−メチルベンジルアルコール、ラウリルアルコール、トリデシルアルコール、イソドデシルアルコール、イソトリデシルアルコール等のアルコール系溶剤やプロピレングリコールメチルエーテルアセテート、プロピレングリコールジアセテート、２−ピロリドン、Ｎ−メチル−２−ピロリドン等が挙げられる。
【００３３】
また、水を主溶剤として使用した場合の、塗布先の乾燥を防止する湿潤剤や、湿潤溶剤の他に、ｐＨ調整剤、防腐剤、防カビ剤、酸化防止剤、粘度調整剤等の添加剤が適宜に加えられる。また、水性顔料分散体の調製にあたっても同様の添加剤を加えることができる。
【００３４】
湿潤剤としては、尿素化合物が好適に用いられる。尿素化合物としては、尿素、チオ尿素、エチレン尿素、ジメチル尿素、ジエチルチオ尿素、エチル尿素、メチル尿素、エチレンチオ尿素等があげられる。湿潤剤（尿素化合物）を配合する場合には、水性インキ組成物の２５重量％以下とするのが好ましい。さらには３〜２５重量％程度、５〜１８重量％程度とするのが好ましい。
【００３５】
湿潤溶剤としては、たとえば、グリセリン、ジグリセリン、トリグリセリン、エチレングリコール、ジエチレングリコール、トリエチレングリコール、プロピレングリコール、ジプロピレングリコール、トリプロピレングリコール、ポリエチレングリコール、ポリプロピレングリコール等のグリコール類、糖、さらにはその誘導体等があげられる。湿潤溶剤を配合する場合には、水性インキ組成物の６０重量％以下とするのが好ましい。さらには、３〜６０重量％程度、５〜５０重量％程度とするのが好ましい。
【００３６】
ｐＨ調整剤としては、水酸化ナトリウム、水酸化カリウム、水酸化リチウム等のアルカリ金属の水酸化物、トリエタノールアミン、ジエタノールアミン、モノエタノールアミン、ジメチルエタノールアミン、モルホリン、トリエチルアミン等のアミン化合物、アンモニア等があげられる。
【００３７】
油性インキ組成物において顔料を使用する場合、分散樹脂や増粘樹脂を使用可能である。分散樹脂や増粘樹脂は、顔料などの固形物の分散、糸曳き性付与、筆跡の裏写り防止の他、粘度調整、染料の溶解促進の為に添加するものであり、具体例としては、エステルガム、キシレン樹脂、アルキッド樹脂、ポリビニルピロリドン、アクリル酸エステル系樹脂、メラミン系樹脂、セルロース系樹脂、シクロヘキサノン、アセトフェノン、尿素などのケトンとホルムアルデヒドとの縮合樹脂、シクロヘキサノンの縮合樹脂およびそれらを水素添加した樹脂、マレイン酸樹脂、スチレンとマレイン酸エステルとの共重合体、スチレンとアクリル酸又はそのエステルとの共重合体、重合脂肪酸とポリアミン類との縮合体であるポリアミド、エポキシ樹脂、ポリビニルアルキルエーテル、クマロン−インデン樹脂、ポリテルペン、ロジン系樹脂やその水素添加物、ロジン変性されたマレイン酸樹脂、ロジン変性されたフェノール樹脂、ビニルピロリドン−酢酸ビニル共重合物、ポリメタクリル酸エステル、ポリオキシエチレン、ポリビニルブチラール樹脂、ポリビニルアルコール樹脂、ポリビニルアセタール樹脂、酢酸ビニルとポリビニルピロリドンの共重合体、アクリル樹脂塩、アクリル酸とアルキルメタクリレートの共重合体又はそれらの塩、ヒドロキシプロピルセルロース、ヒドロキシエチルセルロース、エチルヒドロキシエチルセルロース、エチルセルロースなどのセルロース誘導体、ヒドロキシプロピル化グァーガム、メチルセルロース、エチルセルロース、ポリビニルアセトアミド、ポリビニルアルコール、ポリビニルピロリドン、ポリビニルメチルエーテル、ポリアクリル酸、カルボキシビニルポリマーなどの多糖類、ベンジリデンソルビトールを挙げることができる。特に、ポリビニルブチラール樹脂は経時による粘度変化が小さく、顔料の分散安定性、定着性に優れるため好適に使用できる。ポリビニルブチラール樹脂の具体例を挙げると、Ｍｏｗｉｔａｌ  Ｂ２０Ｈ、同Ｂ３０Ｂ、同Ｂ３０Ｈ、同Ｂ６０Ｔ、同Ｂ６０Ｈ、同Ｂ６０ＨＨ、同Ｂ７０Ｈ（以上、ヘキスト社製）、エスレック  ＢＨ−３、同ＢＬ−１、同ＢＬ−２、同ＢＬ−Ｌ、同ＢＬ−Ｓ、同ＢＭ−１、同ＢＭ−２、同ＢＭ−５、同ＢＭ−Ｓ、同ＢＬ−２Ｈ、同ＢＬ−ＳＨ、同ＢＸ−１０、同ＢＸ−Ｌ、同ＢＨ−３、同ＢＨ−６、同ＢＨ−Ｓ、同ＢＸ−１、同ＢＸ−５（以上、積水化学工業（株）製）などがある。中でも、エスレック  ＢＬ−１、ＢＬ−１０、ＢＨ−３、ＢＭ−１が分散安定剤として好ましい。ポリビニルピロリドンの具体例を挙げると、ポリビニルピロリドン  Ｋ−３０、同Ｋ−８５、同Ｋ−９０（以上、（株）日本触媒製）、ＰＶＰ  Ｋ−１５、同Ｋ−３０、同Ｋ−６０、同Ｋ−９０、同Ｋ−１２０（以上、ＩＳＰジャパン（株）製）などが挙げられる。ポリビニルアセトアミドの具体例を挙げると、ＧＥ１９１−０００、ＧＥ１９１−０５３、ＧＥ１９１−１０３、ＧＥ１９１−１０４、ＧＥ１９１−１０７、ＧＥ１９１−４０５（昭和電工（株））などが挙げられる。
【００３８】
これらの樹脂は、単独、あるいは２種以上混合して使用しても良い。これらの樹脂の添加量は、インキ組成物全量に対して０．０５重量％以上３０．０重量％以下が好ましく、１．０重量％以上１０．０重量％以下がより好ましい。
【実施例】
【００３９】
以下、図面に基づき、本発明の一例について説明する。
【００４０】
図１に塗布具の一例の縦断面図を示す。塗布先として、ナイロン繊維による収束体である筆穂１を使用し、可撓性を有するポリエチレン樹脂のブロー成型品であるインキタンク２内に、直接塗布液を収容し、インキタンク２に把持などによって圧力をかけることによって塗布先である筆穂１に塗布液を導出させるタイプの塗布具を想定している。
【００４１】
インキタンク２の先端外面には雄螺子部が形成されており、塗布に際して主に把持して使用されるため硬質の合成樹脂で形成された前軸３の後端内面の雌螺子部と螺合している。尚、この螺合は、インキタンク２と前軸３を分けてそれぞれ内部を洗浄する際などにユーザーが開けることを想定し、正螺子となっている。
【００４２】
図１のＩ−Ｉ’断面矢視図である図２に示す通り、インキタンク２は側壁に平面部２ａと曲面部２ｂを有しており、この平面部２ａ又は曲面部２ｂのいずれかを押圧してインキタンク内に圧力が掛け易いようになっている。
【００４３】
前軸３は、筆穂１が突出する先端開口部に向かって縮径する外径を有し、貫通孔内に筆穂１と液吐出制御部材４を収容している。
【００４４】
液吐出制御部材４の部材の斜視図である図３にも示す通り、液吐出制御部材４は、有底筒状のコップ型を有しており、側壁を前軸３の内壁に密着させている。また、同時に液吐出制御部材４の側壁には、長手方向に渡る複数の溝部４ａが形成されており、前軸内に設置された状態で、インキタンク２内と、前軸３の筆穂配置部とを連通する貫通孔５を形成する。本実施例においては、図４に示す通り、１２個の貫通孔５が形成されており、互いに、軸心に対して最も離れた位置に配置されているため、空気交換及び液流通が好適に行えるものである。
【００４５】
参照符号６は、非使用時における筆穂１の乾燥や液漏れを防止するためのキャップである。
【００４６】
図５に示す通り、キャップ６は、筆穂１が収容される内筒部６ａとそれを覆う外筒部６ｂとを有しており、両者の連結部分６ｃに通気孔６ｄを有して、幼児などが誤ってキャップ６を喉に詰まらせた場合でも呼吸が確保されるようになしてある。内筒部６ａの先端部よりも外筒部６ｂの先端部が延び出ているため、前記誤飲の際に、内筒部６ａと外筒部６ｂの間の空間が密閉されにくく、より確実に呼吸可能なものである。図６にも示す通り、内筒部６ａの内壁には、前軸３の外壁に設けた周状平面部３ａに対する周状当接部６ｅを有し、キャップを被嵌した際のキャップ内空間を密閉維持する。また、外筒部６ｂの内壁には、前軸３に形成した周状突部と乗り越え嵌合する突起６ｆを同一周状に４点有している。穂先１のインキタンク側端部には、穂先１を熱して溶かし固めることで形成した鍔部１ａがあり、該鍔部１ａが前軸３と液吐出制御部材４に挟まれることで、穂先１が固定されている。
【符号の説明】
【００４７】
１      筆穂
１ａ    鍔部
２      インキタンク
２ａ    平面部
２ｂ    曲面部
３      前軸
３ａ    周状平面部
４      液吐出制御部材
４ａ    溝部
５      貫通孔
６      キャップ
６ａ    内筒部
６ｂ    外筒部
６ｃ    連結部分
６ｄ    通気孔
６ｅ    周状当接部
６ｆ    突起
【図１】
2018171857.tif 000003
【図２】
2018171857.tif 000004
【図３】
2018171857.tif 000005
【図４】
2018171857.tif 000006
【図５】
2018171857.tif 000007
【図６】
2018171857.tif 000008